(57)【要約】【課題】パートカラー処理をより適切に実行可能な表示制御装置、表示装置、表示制御方法及びプログラムを提供すること。【解決手段】モニタ６０に表示された映像の一部の領域を抽出領域として選択する操作が実行されたことを検出した場合、選択された領域を抽出領域として設定する抽出領域設定部８２と、抽出領域から色を抽出する色抽出部８３と、色抽出部８３が抽出した抽出色に基づいて、色の範囲を選択する操作が実行されたことを検出した場合、選択された色の範囲を指定色の範囲として設定する色設定部８４と、モニタ６０に表示される映像に対して、色設定部８４で設定された指定色を残して、指定色の他の色は単色とする処理を実行するパートカラー処理部８６と、パートカラー処理部８６によって処理された処理後映像データをモニタ６０に表示させる表示制御部８１とを備える。【選択図】図１
2020112618.tif 000002
【特許請求の範囲】
【請求項１】
表示部に表示された映像の一部の領域を抽出領域として選択する操作が操作部に対して実行されたことを検出した場合、前記表示部に表示された映像のうち、選択された領域を抽出領域として設定する抽出領域設定部と、
前記抽出領域設定部が設定した前記抽出領域から色を抽出する色抽出部と、
前記色抽出部が抽出した抽出色に基づいて、色の範囲を選択する操作が前記操作部に対して実行されたことを検出した場合、選択された色の範囲を指定色の範囲として設定する色設定部と、
前記表示部に表示される映像に対して、前記色設定部で設定された指定色を残して、前記指定色の他の色は単色とする処理を実行するパートカラー処理部と、
前記パートカラー処理部によって処理された処理後映像データを前記表示部に表示させる表示制御部と、
を備えることを特徴とする表示制御装置。
【請求項２】
前記色の範囲は、彩度の範囲と色相の範囲とによって規定される、
請求項１に記載の表示制御装置。
【請求項３】
前記表示部に表示された映像のうち、パートカラー処理を実行する処理領域を選択する操作が前記操作部に対して実行されたことを検出した場合、選択された領域を処理領域として設定する処理領域設定部、
を備える請求項１または２に記載の表示制御装置。
【請求項４】
前記表示部に表示される映像に含まれる前記指定色のＲＧＢ値の比率が、前記色設定部が前記指定色を設定した際のＲＧＢ値の比率に対して変化した場合、前記表示部に表示される映像に含まれる前記指定色のＲＧＢ値の比率を補正して、前記色設定部が前記指定色を設定した際のＲＧＢ値の比率に近づける補正処理部、
を備える請求項１から３のいずれか一項に記載の表示制御装置。
【請求項５】
請求項１から４のいずれか一項に記載の表示制御装置と、
映像を表示する表示部と、映像を記録する記憶部との少なくもどちらかと、
を備えることを特徴とする表示装置。
【請求項６】
表示部に表示された映像の一部の領域を抽出領域として選択する操作が実行されたことを検出した場合、前記表示部に表示された映像のうち、選択された領域を抽出領域として設定する抽出領域設定ステップと、
前記抽出領域設定ステップによって設定された前記抽出領域から色を抽出する色抽出ステップと、
前記色抽出ステップによって抽出された抽出色に基づいて、色の範囲を選択する操作が実行されたことを検出した場合、選択された色の範囲を指定色の範囲として設定する色設定ステップと、
前記表示部に表示される映像に対して、前記色設定ステップによって設定された指定色を残して、前記指定色の他の色は単色とする処理を実行するパートカラー処理ステップと、
前記パートカラー処理ステップによって処理された処理後映像データを前記表示部に表示させる表示制御ステップと、
を含むことを特徴とする表示制御方法。
【請求項７】
表示部に表示された映像の一部の領域を抽出領域として選択する操作が実行されたことを検出した場合、前記表示部に表示された映像のうち、選択された領域を抽出領域として設定する抽出領域設定ステップと、
前記抽出領域設定ステップによって設定された前記抽出領域から色を抽出する色抽出ステップと、
前記色抽出ステップによって抽出された抽出色に基づいて、色の範囲を選択する操作が実行されたことを検出した場合、選択された色の範囲を指定色の範囲として設定する色設定ステップと、
前記表示部に表示される映像に対して、前記色設定ステップによって設定された指定色を残して、前記指定色の他の色は単色とする処理を実行するパートカラー処理ステップと、
前記パートカラー処理ステップによって処理された処理後映像データを前記表示部に表示させる表示制御ステップと、
を表示制御装置として動作するコンピュータに実行させるためのプログラム。
【発明の詳細な説明】
【技術分野】
【０００１】
本出願は、表示制御装置、表示装置、表示制御方法及びプログラムに関する。
【背景技術】
【０００２】
画像中の特定の色のみを残し、他の色をモノクロ表示する技術が知られている（例えば、特許文献１参照）。特許文献１に記載の技術では、ユーザによる選択操作が促されている間、画像中の色を非単色で出力し、ユーザによる選択操作が終了した後、画像中の指定色の他の色を単色で出力する。
【先行技術文献】
【特許文献】
【０００３】
【特許文献１】特開２０１３−２２８６８９号公報
【発明の概要】
【発明が解決しようとする課題】
【０００４】
ユーザがパートカラー処理で残す色を選択する画面において、残す色の部分の面積が小さい場合、または、残す色の近傍にその他の色が複数混在しているような場合、残す色を適切に選択することが難しいことがある。このように、パートカラー処理は、改善の余地があった。
【０００５】
本発明は、上記に鑑みてなされたものであって、パートカラー処理をより適切に実行可能な表示制御装置、表示装置、表示制御方法及びプログラムを提供することを目的とする。
【課題を解決するための手段】
【０００６】
上述した課題を解決し、目的を達成するために、本発明に係る表示制御装置は、表示部に表示された映像の一部の領域を抽出領域として選択する操作が操作部に対して実行されたことを検出した場合、前記表示部に表示された映像のうち、選択された領域を抽出領域として設定する抽出領域設定部と、前記抽出領域設定部が設定した前記抽出領域から色を抽出する色抽出部と、前記色抽出部が抽出した抽出色に基づいて、色の範囲を選択する操作が前記操作部に対して実行されたことを検出した場合、選択された色の範囲を指定色の範囲として設定する色設定部と、前記表示部に表示される映像に対して、前記色設定部で設定された指定色を残して、前記指定色の他の色は単色とする処理を実行するパートカラー処理部と、前記パートカラー処理部によって処理された処理後映像データを前記表示部に表示させる表示制御部と、を備えることを特徴とする。
【０００７】
本発明に係る表示装置は、上記の表示制御装置と、映像を表示する表示部と、映像を記録する記憶部との少なくもどちらかと、を備えることを特徴とする。
【０００８】
本発明に係る表示制御方法は、表示部に表示された映像の一部の領域を抽出領域として選択する操作が実行されたことを検出した場合、前記表示部に表示された映像のうち、選択された領域を抽出領域として設定する抽出領域設定ステップと、前記抽出領域設定ステップによって設定された前記抽出領域から色を抽出する色抽出ステップと、前記色抽出ステップによって抽出された抽出色に基づいて、色の範囲を選択する操作が実行されたことを検出した場合、選択された色の範囲を指定色の範囲として設定する色設定ステップと、前記表示部に表示される映像に対して、前記色設定ステップによって設定された指定色を残して、前記指定色の他の色は単色とする処理を実行するパートカラー処理ステップと、前記パートカラー処理ステップによって処理された処理後映像データを前記表示部に表示させる表示制御ステップと、を含む。
【０００９】
本発明に係るプログラムは、表示部に表示された映像の一部の領域を抽出領域として選択する操作が実行されたことを検出した場合、前記表示部に表示された映像のうち、選択された領域を抽出領域として設定する抽出領域設定ステップと、前記抽出領域設定ステップによって設定された前記抽出領域から色を抽出する色抽出ステップと、前記色抽出ステップによって抽出された抽出色に基づいて、色の範囲を選択する操作が実行されたことを検出した場合、選択された色の範囲を指定色の範囲として設定する色設定ステップと、前記表示部に表示される映像に対して、前記色設定ステップによって設定された指定色を残して、前記指定色の他の色は単色とする処理を実行するパートカラー処理ステップと、前記パートカラー処理ステップによって処理された処理後映像データを前記表示部に表示させる表示制御ステップと、を表示制御装置として動作するコンピュータに実行させる。
【発明の効果】
【００１０】
本発明によれば、パートカラー処理をより適切に実行可能な表示制御装置、表示装置、表示制御方法及びプログラムを提供することができるという効果を奏する。
【図面の簡単な説明】
【００１１】
【図１】図１は、実施形態に係る表示装置の構成例を示すブロック図である。
【図２】図２は、実施形態に係る映像処理部における抽出領域設定処理の一例を説明する図である。
【図３】図３は、実施形態に係る映像処理部における色設定処理の一例を説明する図である。
【図４】図４は、実施形態に係る映像処理部における処理領域設定処理の一例を説明する図である。
【図５】図５は、実施形態に係る映像処理部における処理領域設定処理の他の例を説明する図である。
【図６】図６は、実施形態に係る映像処理部における補正処理の一例を説明する図である。
【図７】図７は、実施形態に係る映像処理部が実行する処理の一例を示すフローチャートである。
【発明を実施するための形態】
【００１２】
以下に添付図面を参照して、本発明に係る映像処理部（表示制御装置）、表示装置、表示制御方法及びプログラムの実施形態を詳細に説明する。なお、以下の実施形態により本発明が限定されるものではない。
【００１３】
図１は、実施形態に係る表示装置の構成例を示すブロック図である。表示装置１０は、例えば、カメラまたはビデオカメラなどの撮像装置である。本実施形態では、表示装置１０の一例として、ビデオカメラについて説明する。表示装置１０は、パートカラー処理を実行する機能を有する。表示装置１０は、撮像部２０と、記憶部３０と、カードＩ／Ｆ４０と、入出力Ｉ／Ｆ５０と、モニタ６０と、タッチパネル（操作部）７０と、映像処理部８０とを備える。
【００１４】
撮像部２０は、映像を撮像する。撮像部２０は、光軸ＬＡのカメラである。撮像部２０は、例えば、ズームレンズ２１、フォーカスレンズ２２、絞り２３、及び撮像素子２４を有する。ズームレンズ２１は図示しないズームアクチュエータによって駆動されて、光軸ＬＡに沿って移動する。フォーカスレンズ２２は、図示しないフォーカスアクチュエータによって駆動されて、光軸ＬＡに沿って移動する。絞り２３は、図示しない絞りアクチュエータによって駆動されて、動作する。撮像素子２４は、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などである。撮像素子２４は、ズームレンズ２１、フォーカスレンズ２２、及び絞り２３を通過した光を電気信号に変換してアナログ映像信号を生成する。撮像部２０は、生成したアナログ映像信号を、アナログ信号処理部２５、アナログ／デジタル変換部（以下、「Ａ／Ｄ変換部」という。）２６、及び映像入力コントローラ２７を介して、バス１００へ出力する。
【００１５】
アナログ信号処理部２５は、撮像部２０から出力されたアナログ映像信号を増幅して、Ａ／Ｄ変換部２６へ出力する。
【００１６】
Ａ／Ｄ変換部２６は、増幅されたアナログ映像信号をデジタル映像データに変換する。Ａ／Ｄ変換部２６は、変換したデジタル映像データを映像信号として映像入力コントローラ２７へ出力する。
【００１７】
映像入力コントローラ２７は、Ａ／Ｄ変換部２６から出力されたデジタル映像データを撮像映像データとして取得する。映像入力コントローラ２７は、取得した撮像映像データをバス１００を介して記憶部３０に記録させる。
【００１８】
記憶部３０は、表示装置１０におけるデータの一時記憶などに用いられる。記憶部３０は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ（Ｆｌａｓｈ  Ｍｅｍｏｒｙ）などの半導体メモリ素子、または、ハードディスク、光ディスクなどの記憶装置である。
【００１９】
カードＩ／Ｆ４０は、図示しないカード型記録媒体が着脱可能である。ここで、カード型記録媒体は、例えば、ＳＤカードやコンパクトフラッシュ（登録商標）のようなカード型の外部メモリである。カード型記録媒体には、例えば、撮像部２０が撮像した撮像映像の撮像映像データを含む映像データが圧縮して記録される。カード型記録媒体は、外部の記憶部として機能する。カードＩ／Ｆ４０は、メディア制御部４１を介して映像処理部８０からの指示に従って、カード型記録媒体にデータを書き込みしたり、記録されたデータを読み出したりする。
【００２０】
入出力Ｉ／Ｆ５０は、表示装置１０と入出力部とを接続する。入出力Ｉ／Ｆ５０には、モニタ６０と、タッチパネル７０とが接続されている。
【００２１】
モニタ６０は、例えば、撮像映像、カードＩ／Ｆ４０に装着された外部メモリから読み出した記録映像を含む各種映像、及び各種情報を表示面６０ａに表示する。モニタ６０は、タッチパネル式ディスプレイであり、各種操作を入力可能である。モニタ６０は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含む。モニタ６０は、映像処理部８０からの制御信号に基づいて、各種映像及び各種情報を表示面６０ａに表示する。表示面６０ａに表示された映像のうち撮像映像または記録映像を表示映像という。
【００２２】
タッチパネル７０は、表示装置１０に対する操作を受付可能である。タッチパネル７０は、モニタ６０の表示面６０ａと対面して配置されるタッチ式の入力装置である。タッチパネル７０は、表示面６０ａに表示された映像または画像に対する操作を受付可能である。タッチパネル７０は、表示面６０ａに対応したタッチ操作を検出する検出領域を有する。タッチパネル７０は、タッチ操作を受け付けると、操作情報を入出力Ｉ／Ｆ５０を介してバス１００へ出力する。
【００２３】
映像処理部８０は、撮像映像の撮像映像データ、または、記録映像の記録映像データに、パートカラー処理を実行して処理後映像データを生成する。映像処理部８０は、例えば、ＣＰＵ（Ｃｅｎｔｒａｌ  Ｐｒｏｃｅｓｓｉｎｇ  Ｕｎｉｔ）や映像処理用プロセッサなどで構成された演算処理装置（制御部）である。映像処理部８０は、記憶部３０に記憶されているプログラムをメモリにロードして、プログラムに含まれる命令を実行する。映像処理部８０は、一または複数の装置で構成されていてもよい。映像処理部８０は、表示制御部８１と、抽出領域設定部８２、色抽出部８３、色設定部８４、処理領域設定部８５、パートカラー処理部８６、及び補正処理部８７を有する。
【００２４】
表示制御部８１は、モニタ６０の表示面６０ａに映像または各種情報を表示させる映像信号を生成して出力する。表示制御部８１は、映像の撮像時、撮像映像データに基づいて、表示面６０ａに表示させる映像信号を生成して出力する。表示制御部８１は、記録映像の再生時、記録映像データに基づいて、表示面６０ａに表示させる映像信号を生成して出力する。表示制御部８１は、パートカラー処理の実行時、処理後映像データに基づいて、表示面６０ａに表示させる映像信号を生成して出力する。表示制御部８１は、表示面６０ａに各種設定画面を表示させる映像信号を生成して出力する。
【００２５】
抽出領域設定部８２は、パートカラー処理で残す色（指定色）を含む領域を抽出領域として設定する。抽出領域設定部８２は、モニタ６０の表示面６０ａに表示された表示映像の一部の領域を抽出領域として選択する操作が、タッチパネル７０に対して実行されたことを検出した場合、表示面６０ａに表示された表示映像のうち、選択された領域を抽出領域として設定する。より詳しくは、ユーザは、表示面６０ａに表示された表示映像のうち、パートカラー処理で残す色を含む領域をタッチ操作する。抽出領域設定部８２は、ユーザがタッチパネル７０をタッチ操作して、表示映像における抽出領域を設定する操作を実行したことを検出した場合、選択された領域を抽出領域として設定する。抽出領域設定部８２は、設定された抽出領域を示す抽出領域情報を取得する。
【００２６】
図２を用いて、抽出領域設定部８２について詳しく説明する。図２は、実施形態に係る映像処理部における抽出領域設定処理の一例を説明する図である。例えば、まず、ユーザがメニュー画面からパートカラー処理の項目画像を選択操作すると、図２に示す抽出領域の設定操作が可能になる。図２（ａ）に示すように、モニタ６０の表示面６０ａに表示された表示映像に対して、ユーザは、パートカラー処理で残す色を含む領域をタッチ操作する。図２（ａ）では、ユーザは、表示映像に写された赤色のリンゴをタッチ操作する。
【００２７】
図２（ｂ）に示すように、抽出領域設定部８２は、ユーザがタッチパネル７０をタッチ操作したことを検出した場合、タッチ操作された位置を中心にした枠アイコン２００を表示面６０ａに表示する。枠アイコン２００は、例えば、矩形状、円形状、楕円形状、または、タッチ操作された位置の撮影物の形状に合わせた形状である。本実施形態では、枠アイコン２００は、一辺が数１０画素程度の長さの正方形状である。図２（ｂ）では、赤色のリンゴの一部が枠アイコン２００の内側に位置する。
【００２８】
図２（ｃ）に示すように、ユーザは、表示面６０ａに表示された枠アイコン２００の大きさを変更して、枠アイコン２００によって示される抽出領域の大きさを変更する。図２（ｃ）では、赤色のリンゴの全体が枠アイコン２００の内側に位置するように、ユーザは、枠アイコン２００を拡大する。
【００２９】
図２（ｄ）に示すように、ユーザは、表示面６０ａに表示された枠アイコン２００の位置を変更して、枠アイコン２００によって示される抽出領域の位置を変更する。図２（ｄ）では、赤色のリンゴが枠アイコン２００の中央部に位置するように、ユーザは、枠アイコン２００を移動する。
【００３０】
図２（ｃ）、図２（ｄ）に示す手順によって、ユーザは、パートカラー処理で残す色の部分に枠アイコン２００を合せる。
【００３１】
図２（ｅ）は、設定が完了した枠アイコン２００を示す。図２（ｅ）では、赤色のリンゴの全体が枠アイコン２００の内側に位置し、赤色のリンゴが枠アイコン２００の中央部に位置する。ユーザは、枠アイコン２００の設定が終了すると、例えば、設定完了ボタンを押下して完了動作を実行する。抽出領域設定部８２は、ユーザによる完了動作を検出すると、図２（ｅ）に示す枠アイコン２００の位置および大きさで規定される領域を抽出領域として設定する。抽出領域設定部８２は、設定された抽出領域の抽出領域情報を取得する。
【００３２】
色抽出部８３は、抽出領域設定部８２が設定した抽出領域から色を抽出する。色抽出部８３は、抽出領域設定部８２によって設定した抽出領域に含まれるオブジェクトの色、言い換えると、パートカラー処理で残す色のＲＢＧ（Ｒｅｄ  Ｇｒｅｅｎ  Ｂｌｕｅ）値を抽出する。例えば、色抽出部８３は、抽出領域に含まれる全画素のＲＧＢ値の平均値をパートカラー処理で残す色のＲＢＧ値として抽出してもよい。例えば、色抽出部８３は、抽出領域の中心に位置する画素のＲＧＢ値をパートカラー処理で残す色のＲＢＧ値として抽出してもよい。色抽出部８３が抽出した色を抽出色という。色抽出部８３は、抽出された抽出色の情報を取得する。
【００３３】
色設定部８４は、パートカラー処理で残す色の範囲を設定する。色設定部８４において、色を設定する方法は限定されない。色設定部８４は、例えば、色の範囲を、ＲＧＢ色空間において、赤、緑、青、シアン、マゼンタ、及びイエローの６色を基準にして設定してもよい。本実施形態では、色設定部８４は、パートカラー処理で残す色の範囲を、ＨＳＶ（Ｈｕｅ  Ｓａｔｕｒａｔｉｏｎ  Ｖａｌｕｅ‐Ｂｒｉｇｈｔｎｅｓｓ）色空間によって色の範囲として設定する。
【００３４】
ＨＳＶ色空間では、色を、色相、彩度、及び明度で定義する。色相角は、０°から３６０°の値を取り得る。各色は色相角によって表すことが可能であり、例えば、緑色は色相角１２０°と表される。彩度は、色相で定義される色の鮮やかさ・濃さを定義する。彩度は、０％以上１００％以下の値を取り得る。明度は、色相で定義される色の明るさ・暗さを定義する。明度は、０％以上１００％以下の値を取り得る。
【００３５】
色設定部８４は、色抽出部８３が抽出した抽出色に基づいて、彩度の範囲と、色相の範囲とを選択する操作が、タッチパネル７０に対して実行されたことを検出した場合、選択された彩度の範囲と色相の範囲とによって規定される色の範囲を指定色の範囲として設定する。より詳しくは、ユーザは、表示面６０ａに表示された抽出色を示す色選択画像２１０を参照しながら、彩度の範囲及び色相の範囲をタッチ操作によって設定して色の範囲を選択する。色設定部８４は、ユーザがタッチパネル７０をタッチ操作して、彩度の範囲及び色相の範囲を設定する操作を実行したことを検出した場合、選択された色の範囲を指定色の範囲として設定する。色設定部８４は、選択された指定色の範囲の情報を取得する。
【００３６】
図３を用いて、色設定部８４について詳しく説明する。図３は、実施形態に係る映像処理部における色設定処理の一例を説明する図である。抽出領域設定処理が終了すると、続けて図３に示す色の設定操作が可能になる。図３（ａ）に示すように、色設定部８４は、色抽出部８３が抽出した抽出色のＲＧＢ値をＨＳＶ値に変換して、ＨＳＶ値を色選択画像２１０としてモニタ６０の表示面６０ａに表示する。色選択画像２１０は、色相環画像２１１、枠アイコン２１２、彩度画像２１３、彩度アイコン２１４、色相画像２１５、及び色相アイコン２１６を含む。色相環画像２１１は、ＨＳＶ色空間の色相環を示す画像である。枠アイコン２１２は、色相環画像２１１に重ねて表示され、色の範囲を示す。彩度画像２１３は、ＨＳＶ色空間の色の彩度を示す画像である。彩度アイコン２１４は、彩度画像２１３に重ねて表示され、色の彩度を示す。色相画像２１５は、ＨＳＶ色空間の色の色相範囲を示す。色相アイコン２１６は、色相画像２１５に重ねて表示され、色の色相範囲を示す。図３（ａ）において、枠アイコン２１２は、抽出色のＨＳＶ値に基づいて、所定の彩度の範囲及び所定の色相の範囲で規定される色の範囲を示す。彩度アイコン２１４は、抽出色のＨＳＶ値に基づいて、彩度を示す。色相アイコン２１６は、抽出色のＨＳＶ値に基づいて、色相範囲を示す。図３（ａ）では、抽出色である「赤色」の範囲が示されている。
【００３７】
図３（ｂ）に示すように、ユーザは、枠アイコン２１２の横幅を変更して、パートカラー処理で残す色の彩度の範囲を選択する。図３（ｂ）では、枠アイコン２１２の横幅を広げて、彩度の範囲を広くする。
【００３８】
図３（ｃ）に示すように、ユーザは、枠アイコン２１２の縦幅を変更して、パートカラー処理で残す色相角の範囲を選択する。図３（ｃ）では、枠アイコン２１２の縦幅を広げて、色相角の範囲を広くする。
【００３９】
図３（ｂ）、図３（ｃ）に示す手順によって、ユーザは、パートカラー処理で残す色の範囲に枠アイコン２１２を合わせる。ユーザは、枠アイコン２１２の設定が終了すると、例えば、設定完了ボタンを押下して完了動作を実行する。色設定部８４は、ユーザによる完了動作を検出すると、枠アイコン２１２の位置および大きさで規定される領域を指定色の範囲として設定する。色設定部８４は、設定された指定色の範囲の情報として取得する。
【００４０】
処理領域設定部８５は、パートカラー処理を実行する処理領域を設定する。処理領域設定部８５は、表示面６０ａに表示された映像のうち、パートカラー処理を実行する領域を選択する操作が、タッチパネル７０に対して実行されたことを検出した場合、選択された領域を処理領域として設定する。より詳しくは、ユーザは、表示面６０ａに表示された表示映像のうち、パートカラー処理を実行する処理領域をタッチ操作で選択する。処理領域は、表示面６０ａに表示された表示映像の全体または一部を設定可能である。処理領域設定部８５は、ユーザがタッチパネル７０をタッチ操作して、表示映像における処理領域を設定する操作を実行したことを検出した場合、選択された領域を処理領域として設定する。処理領域設定部８５は、選択された処理領域の情報を取得する。
【００４１】
図４を用いて、処理領域設定部８５で、表示映像の一部を処理領域として設定して、処理領域にパートカラー処理を実行する場合について説明する。図４は、実施形態に係る映像処理部における処理領域設定処理の一例を説明する図である。色設定処理が終了すると、続けて図４に示す処理領域の設定操作が可能になる。図４（ａ）に示すように、モニタ６０の表示面６０ａに表示された表示映像に対して、ユーザは、パートカラー処理を実行する処理領域をタッチ操作する。図４（ａ）では、ユーザは、表示映像に写された右側の赤色のリンゴをタッチ操作する。
【００４２】
図４（ｂ）に示すように、処理領域設定部８５は、ユーザがタッチパネル７０をタッチ操作したことを検出すると、タッチ操作された位置を中心にした枠アイコン２２０を表示面６０ａに表示する。枠アイコン２２０は、例えば、矩形状、円形状、楕円形状、または、タッチ操作された位置の撮影物の形状に合わせた形状である。本実施形態では、枠アイコン２２０は、半径が数１０画素程度の長さの円形状である。図４（ｂ）では、右側の赤色のリンゴの一部が枠アイコン２２０の内側に位置する。
【００４３】
図４（ｃ）に示すように、ユーザは、表示された枠アイコン２２０の大きさを変更して、枠アイコン２２０によって示される処理領域に右側の赤いリンゴが含まれるようにする。図４（ｃ）では、右側の赤色のリンゴの全体が枠アイコン２２０の内側に位置するように、ユーザは、枠アイコン２２０を拡大する。他のリンゴは枠アイコン２２０の外側に位置する。
【００４４】
ユーザは、枠アイコン２２０の設定が終了すると、例えば、設定完了ボタンを押下して完了動作を実行する。処理領域設定部８５は、ユーザによる完了動作を検出すると、枠アイコン２２０の位置および大きさで規定される領域を処理領域として設定する。処理領域設定部８５は、設定された処理領域の処理領域情報を取得する。処理領域設定部８５における処理が完了すると、パートカラー処理部８６によってパートカラー処理が実行される。
【００４５】
図４（ｄ）は、選択された処理領域にパートカラー処理を実行した処理映像を示す。図４（ｄ）では、右側の赤色のリンゴのみが赤色で表示され、他のリンゴは単色で表示される。例えば、単色は、モノクロとする。
【００４６】
図５を用いて、処理領域設定部８５で、表示映像の一部を処理領域として設定して、処理領域にグラデーション処理を加えたパートカラー処理を実行する場合について説明する。図５は、実施形態に係る映像処理部における処理領域設定処理の他の例を説明する図である。図５（ａ）に示すように、モニタ６０の表示面６０ａに表示された表示映像に対して、ユーザは、処理領域をタッチ操作する。図５（ａ）では、ユーザは、表示映像に写された右側の赤色のリンゴをタッチ操作する。
【００４７】
図５（ｂ）に示すように、処理領域設定部８５は、ユーザがタッチパネル７０をタッチ操作したことを検出すると、タッチ操作された位置を中心にした円形の枠アイコン２２０を表示面６０ａに表示する。図５（ｂ）では、右側の赤色のリンゴの一部が枠アイコン２２０の内側に位置する。
【００４８】
図５（ｃ）に示すように、ユーザは、表示された枠アイコン２２０の大きさを変更して、枠アイコン２２０によって示される処理領域に右側の赤いリンゴが含まれるようにする。図５（ｃ）では、右側の赤色のリンゴの全体が枠アイコン２２０の内側に位置するように、ユーザは、枠アイコン２２０を拡大する。左側のリンゴとバナナとは枠アイコン２２０の外側に位置する。
【００４９】
ユーザは、枠アイコン２２０の設定が終了すると、例えば、設定完了ボタンを押下して完了動作を実行する。処理領域設定部８５は、ユーザによる完了動作を検出すると、枠アイコン２２０の位置および大きさで規定される領域を処理領域として設定する。処理領域設定部８５は、設定された処理領域の処理領域情報を取得する。処理領域設定部８５における処理が完了すると、パートカラー処理部８６によってグラデーション処理を加えたパートカラー処理が実行される。
【００５０】
図５（ｄ）は、選択された処理領域に、処理領域の中心から外側に向かって色を薄くするグラデーション処理を加えたパートカラー処理を実行した処理映像を示す。図５（ｄ）では、右側の赤色のリンゴのみが赤色のグラデーションで表示され、左側のリンゴとバナナとは単色で表示される。
【００５１】
パートカラー処理部８６は、撮像映像データまたは記録映像データにおいて、設定された指定色を残して、指定色の他の色は単色とする処理を実行する。パートカラー処理部８６は、補正処理部８７によって映像信号の補正処理が実行された場合、補正後映像データにパートカラー処理を実行する。パートカラー処理部８６は、指定色の範囲を残して、指定色の範囲に含まれない色は単色とする。パートカラー処理の処理方法は、公知のいずれの方法でもよく、限定されない。パートカラー処理部８６は、グラデーション処理を加えたパートカラー処理を実行してもよい。パートカラー処理部８６は、パートカラー処理を実行した処理後映像データを生成する。
【００５２】
補正処理部８７は、パートカラー処理の実行時、いわゆるホワイトバランスを調整する処理を行う。より詳しくは、補正処理部８７は、色設定部８４が指定色を設定した際の表示映像において指定色の範囲に含まれる全画素について、画素ごとに基準のＲＧＢ値の比率を記憶する。補正処理部８７は、撮像映像データまたは記録映像データにおいて指定色の範囲に含まれる画素のＲＧＢ値の比率が、当該画素の基準のＲＧＢ値の比率に対して変化したか否かを判定する。補正処理部８７は、変化したと判定する場合、ホワイトバランスの調整が必要であると判定して、当該画素のＲＧＢ値のうちＧ値を基準として、Ｒ値とＢ値とを補正するＲゲイン値とＢゲイン値とを算出する。補正処理部８７は、撮像映像データまたは記録映像データの映像信号に対して、ＲＧＢ値のＲ値とＢ値とに、Ｒゲイン値とＢゲイン値とを加えて補正する信号処理を実行する。補正処理部８７は、変化していないと判定する場合、ホワイトバランスの調整が必要ではないと判定して、映像信号の補正処理を実行しない。このようにして、補正処理部８７は、ホワイトバランスの調整が必要であると判定した場合、ＲＧＢ値の比率を補正して基準のＲＧＢ値の比率に近づけた補正後映像データを生成する。
【００５３】
図６を用いて、補正処理部８７の処理について詳しく説明する。図６は、実施形態に係る映像処理部における補正処理の一例を説明する図である。図６（ａ）は、太陽光の下で撮影されたリンゴの映像と、リンゴの赤色の基準のＲＧＢ値の比率とを示す。ここでは、リンゴの赤色は、全画素のＲＧＢ値が同じであるものとする。
【００５４】
図６（ｂ）は、図６（ａ）に示す状態から光源が変化して、照明光の下で撮影されたリンゴの映像と、リンゴのＲＧＢ値の比率とを示す。リンゴは、照明光の影響によって、茶色に写されている。リンゴのＲＧＢ値は、Ｒ値が減少し、Ｇ値が増加し、Ｂ値が減少している。ＲＧＢ値の比率は、基準のＲＧＢ値の比率に対して変化している。そこで、ＲＧＢ値の比率を、基準のＲＧＢ値の比率に近づけるように、Ｇ値を基準として、Ｒ値とＢ値とを制御する補正を実行する。映像信号に、Ｒゲイン値を加えてＲ値を増加させ、Ｂゲイン値を加えてＢ値を増加させる。
【００５５】
図６（ｃ）は、ＲＧＢ値の比率を補正した後のリンゴの映像と、リンゴのＲＧＢ値の比率とを示す。ＲＧＢ値の比率が補正されて、基準のＲＧＢ値の比率に近づけられている。リンゴが赤色に補正されている。
【００５６】
次に、図７を用いて、映像処理部８０が実行する処理の方法及び作用について説明する。図７は、実施形態に係る映像処理部が実行する処理の一例を示すフローチャートである。
【００５７】
ユーザが、モニタ６０の表示面６０ａに表示されたメニュー画面の中からパートカラー処理の項目画像を選択操作すると、図７に示す処理が実行される。表示面６０ａに撮像映像が表示されている状態においてパートカラー処理を実行した場合、撮像映像を撮像しながらパートカラー処理が実行されて、表示面６０ａに処理映像が表示される。表示面６０ａに記録映像が表示されている状態においてパートカラー処理を実行した場合、記録映像を再生しながらパートカラー処理が実行されて、表示面６０ａに処理映像が表示される。
【００５８】
映像処理部８０は、抽出領域設定部８２によって、表示面６０ａに表示された表示映像の抽出領域の設定処理を実行する（ステップＳ１０１）。より詳しくは、抽出領域設定部８２は、ユーザがタッチパネル７０をタッチ操作したことを検出すると、タッチ操作された位置を中心にした矩形状の枠アイコン２００を表示面６０ａに表示する。ユーザは、枠アイコン２００の設定が終了すると、例えば、設定完了ボタンを押下して完了動作を実行する。抽出領域設定部８２は、ユーザによる完了動作を検出すると、表示面６０ａに表示された枠アイコン２００の位置および大きさで規定される領域を抽出領域として設定する。抽出領域設定部８２は、設定された抽出領域の抽出領域情報を取得する。映像処理部８０は、ステップＳ１０２に進む。
【００５９】
映像処理部８０は、色抽出部８３によって、抽出領域からパートカラー処理で残す色のＲＧＢ値を抽出する（ステップＳ１０２）。例えば、色抽出部８３は、抽出領域に含まれる全画素のＲＧＢ値の平均値をパートカラー処理で残す色のＲＢＧ値として抽出する。色抽出部８３は、抽出された抽出色の情報を取得する。映像処理部８０は、ステップＳ１０３に進む。
【００６０】
映像処理部８０は、色設定部８４によって、パートカラー処理で残す色の範囲を設定する（ステップＳ１０３）。色設定部８４は、抽出色を示す色選択画像２１０を表示面６０ａに表示する。色設定部８４は、彩度の範囲と、色相の範囲とを選択する操作が、タッチパネル７０に対して実行されたことを検出した場合、選択された彩度の範囲と色相の範囲とによって規定される色の範囲を指定色の範囲として設定する。色設定部８４は、選択された指定色の範囲の情報を取得する。映像処理部８０は、ステップＳ１０４に進む。
【００６１】
映像処理部８０は、処理領域設定部８５によって、表示面６０ａに表示された表示映像のうち、パートカラー処理を実行する処理領域を設定する（ステップＳ１０４）。処理領域設定部８５は、表示面６０ａに表示された映像のうち、パートカラー処理を実行する領域を選択する操作が、タッチパネル７０に対して実行されたことを検出した場合、選択された領域を処理領域として設定する。映像処理部８０は、ステップＳ１０５に進む。
。
【００６２】
映像処理部８０は、ホワイトバランスの調整が必要かを判定する（ステップＳ１０５）。映像処理部８０は、撮像映像データまたは記録映像データに含まれる指定色のＲＧＢ値の比率が、基準のＲＧＢ値の比率に対して変化したか否かを判定する。映像処理部８０は、基準のＲＧＢ値の比率に対して変化したと判定する場合、ホワイトバランスの調整が必要であると判定する（ステップＳ１０５でＹｅｓ）。映像処理部８０は、ステップＳ１０６に進む。映像処理部８０は、基準のＲＧＢ値の比率に対して変化していないと判定する場合、ホワイトバランスの調整が必要ではないと判定する（ステップＳ１０５でＮｏ）。映像処理部８０は、ステップＳ１０７に進む。
【００６３】
ホワイトバランスの調整が必要である場合（ステップＳ１０５でＹｅｓ）、映像処理部８０は、補正処理部８７によって、補正処理を行う（ステップＳ１０６）。より詳しくは、補正処理部８７は、撮像映像データまたは記録映像データに含まれる指定色のＲＧＢ値の比率が、基準のＲＧＢ値の比率に対して変化した場合（ステップＳ１０５でＹｅｓ）、表示映像に含まれる指定色のＲＧＢ値の比率を補正して、基準のＲＧＢ値の比率に近づけた補正後映像データを生成する。映像処理部８０は、ステップＳ１０７に進む。
【００６４】
映像処理部８０は、パートカラー処理部８６によって、設定された指定色を残して、指定色の他の色は単色とするパートカラー処理を実行する（ステップＳ１０７）。パートカラー処理部８６は、ステップＳ１０６において補正処理を行った場合、補正後映像にパートカラー処理を行った処理後映像を生成する。表示制御部８１は、ステップＳ１０６において補正処理を行っていない場合、表示映像にパートカラー処理を行った処理後映像を生成する。映像処理部８０は、ステップＳ１０８に進む。
【００６５】
映像処理部８０は、表示制御部８１によって、モニタ６０の表示面６０ａにパートカラー処理を実行した処理後映像を表示する（ステップＳ１０８）。表示制御部８１は、ステップＳ１０６において補正処理を行った場合、補正処理を行い、さらにパートカラー処理を行った処理後映像を表示する。表示制御部８１は、ステップＳ１０６において補正処理を行っていない場合、表示面６０ａにパートカラー処理を行った処理後映像を表示する。
【００６６】
映像処理部８０は、ユーザによってパートカラー処理を終了する操作が実行された場合、映像の撮像処理が終了された場合、または、映像の再生処理が終了された場合、処理を終了する。
【００６７】
パートカラー処理で残す色が複数ある場合、ステップＳ１０１ないしステップＳ１０４の処理を繰り返して、複数の色について設定処理を行う。
【００６８】
このように、抽出領域設定部８２は、表示面６０ａに表示された表示映像の一部の領域を選択する操作が、タッチパネル７０に対して実行されたことを検出した場合、表示面６０ａに表示された表示映像のうち、選択された領域を抽出領域として設定する。色設定部８４は、色抽出部８３が抽出した抽出色に基づいて、彩度の範囲と、色相の範囲とを選択する操作が、タッチパネル７０に対して実行されたことを検出した場合、選択された彩度の範囲と色相の範囲とによって規定される色の範囲を指定色の範囲として設定する。処理領域設定部８５は、表示面６０ａに表示された映像のうち、パートカラー処理を実行する領域を選択する操作が、タッチパネル７０に対して実行されたことを検出した場合、選択された領域を処理領域として設定する。これらの処理によって設定された情報に基づいて、パートカラー処理部８６は、撮像映像データまたは記録映像データにおいて、設定された指定色を残して、指定色の他の色は単色とする処理を実行する。さらに、補正処理部８７は、撮像映像データまたは記録映像データに含まれる指定色のＲＧＢ値の比率が、基準のＲＧＢ値の比率に対して変化した場合、撮像映像データまたは記録映像データに含まれる指定色のＲＧＢ値の比率を補正して、基準のＲＧＢ値の比率に近づける。
【００６９】
上述したように、本実施形態では、抽出領域設定部８２によって、表示面６０ａに表示された表示映像の一部の領域を選択する操作が、タッチパネル７０に対して実行されたことを検出した場合、表示面６０ａに表示された表示映像のうち、選択された領域を抽出領域として設定することができる。本実施形態によれば、表示映像において残す色の部分の面積が小さい場合、または、残す色の近傍にその他の色が複数混在しているような場合でも、残す色を含む領域を設定することによって、抽出領域を適切に設定することができる。
【００７０】
本実施形態では、色設定部８４によって、色抽出部８３が抽出した抽出色に基づいて、彩度の範囲と、色相の範囲とを選択する操作が、タッチパネル７０に対して実行されたことを検出した場合、選択された彩度の範囲と色相の範囲とによって規定される色の範囲を指定色の範囲として設定することができる。本実施形態によれば、表示映像において、残す色の部分の面積が小さい場合、または、残す色の近傍にその他の色が複数混在しているような場合でも、残す色を適切に設定することができる。本実施形態によれば、抽出領域設定部８２で設定した抽出領域が所望の位置からずれていても、色設定部８４による色設定処理で残す色を適切に設定することができる。
【００７１】
本実施形態では、処理領域設定部８５によって、表示面６０ａに表示された映像のうち、パートカラー処理を実行する領域を選択する操作が、タッチパネル７０に対して実行されたことを検出した場合、選択された領域を処理領域として設定することができる。本実施形態によれば、ユーザがパートカラー処理を実行する処理領域を適切に設定することができる。
【００７２】
本実施形態では、上記の処理によって設定された情報に基づいて、パートカラー処理部８６によって、撮像映像データまたは記録映像データにおいて、設定された指定色を残して、指定色の他の色は単色とする処理を実行することができる。本実施形態によれば、パートカラー処理をより適切に実行することができる。
【００７３】
さらに、本実施形態では、補正処理部８７によって、撮像映像データまたは記録映像データに含まれる指定色のＲＧＢ値の比率が、基準のＲＧＢ値の比率に対して変化した場合、撮像映像データまたは記録映像データに含まれる指定色のＲＧＢ値の比率を補正して、基準のＲＧＢ値の比率に近づけることができる。本実施形態によれば、指定色を設定した後、光源が変化して、色が変化する場合でも、処理領域に含まれる指定色を基準の色に近い色で表示することができる。本実施形態は、光源が変化した場合でも、パートカラー処理をより適切に実行して、演出効果を高めることができる。
【００７４】
これに対して、補正処理部８７による補正処理を実行しない場合、光源が変化した場合、パートカラー処理で残す色が適切に追従できないおそれがある。このように、パートカラー処理を適切に実行できず、演出効果を損なうおそれがある。
【００７５】
これまで本発明に係る表示装置１０について説明したが、上述した実施形態以外にも種々の異なる形態にて実施されてよいものである。
【００７６】
図示した表示装置１０の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【００７７】
表示装置１０の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００７８】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【符号の説明】
【００７９】
１０      表示装置
２０      撮像部
６０      モニタ（表示部）
７０      タッチパネル（操作部）
８０      映像処理部（表示制御装置）
８１      表示制御部
８２      抽出領域設定部
８３      色抽出部
８４      色設定部
８５      処理領域設定部
８６      パートカラー処理部
８７      補正処理部
【図１】
2020112618.tif 000003
【図２】
2020112618.tif 000004
【図３】
2020112618.tif 000005
【図４】
2020112618.tif 000006
【図５】
2020112618.tif 000007
【図６】
2020112618.tif 000008
【図７】
2020112618.tif 000009